(57)【要約】【課題】通信ネットワークを介して中央処理装置に接続された端末装置からの要求により、ウェブページ情報を迅速かつ安価に表示する代替手段を実現する情報表示方法、中央処理装置及びコンピュータプログラムを提供する。【解決手段】中央処理装置１０は端末装置２０、２０…から送信されたウェブページ閲覧要求情報から、キーワードまたはＵＲＬを読み取り、該当するウェブページを巡回し、巡回結果にハイパーリンクが含まれている場合には、そのハイパーリンクと関連づけられた一意のメールアドレスを発行し、前記ハイパーリンク部分を置換したのち端末装置２０に送信する。【選択図】図１
2008052689.tif 000002
【特許請求の範囲】
【請求項１】
複数の端末装置から送信された、閲覧を希望するウェブページのＵＲＬまたはキーワードが記載された情報を受信する中央処理装置が、受信した情報内で要求されたウェブページを巡回した結果の中に含まれるハイパーリンクと関連づけられた一意の文字列を新しく生成し、生成された文字列を付加した電子メールアドレスを発行し、前記ハイパーリンクと前記電子メールアドレスと一の端末装置を関連づけて記録し、前記ウェブページ巡回結果のうち前記ハイパーリンクを関連づけられた前記電子メールアドレスで置換した情報を前記端末装置に送信することを特徴とする情報処理方法。
【請求項２】
発行された電子メールアドレスを宛先として送信された情報を受信する手順をさらに中央処理装置が実行することを含む請求項１に記載の情報処理方法。
【請求項３】
中央処理装置が、複数の端末装置から送信された情報を受信するメール受信手段と、前記メールに記載された閲覧を希望するウェブページのＵＲＬまたはキーワードを解析する手段と、前記要求されたＵＲＬまたはキーワードに従ってウェブページを巡回する手段と、前記巡回で取得したウェブページの本文に含まれる各ＵＲＬと関連づけられた一意の電子メールアドレスを発行する手段と、前記ハイパーリンクと前記電子メールアドレスと前記端末装置を関連づけて記録する手段と、前記ウェブページに含まれる前記ハイパーリンクを関連づけられた前記電子メールアドレスで置換する手段と、前記置換したあとの巡回結果から電子メールを作成する手段と、前記端末装置に電子メールを送信する手段を特徴とする装置。
【請求項４】
発行された電子メールアドレスを宛先として送信された情報を受信する手段をさらに中央処理装置が実行する手順を含む請求項３に記載の装置。
【請求項５】
コンピュータに、複数の端末装置から送信された情報を受信させる手順と、前記受信された情報に記載されたＵＲＬまたはキーワードに基づいてウェブページを巡回させる手順と、コンピュータに、巡回結果に含まれるハイパーリンクと関連づけられた一意の文字列を新しく生成させる手順と、コンピュータに、生成された文字列を付加した電子メールアドレスを発行させる手順と、コンピュータに、前記ハイパーリンクと前記電子メールアドレスと前記端末装置を関連づけて記録させる手順と、コンピュータに、前記巡回結果のうちの前記ハイパーリンクを関連づけられた前記電子メールアドレスで置換させる手順と、コンピュータに、前記置換したあとの巡回結果から電子メールを作成する手順と、コンピュータに、前記端末装置に電子メールを送信する手順とをコンピュータに実行させることを特徴とするコンピュータプログラム。
【請求項６】
発行された電子メールアドレスを宛先として送信された情報を受信する手順をさらにコンピュータに実行させる手順を含む請求項５に記載のコンピュータプログラム。
【発明の詳細な説明】
【技術分野】
【０００１】通信ネットワークを介して中央処理装置に接続された端末装置からの要求に基づいて、ハイパーリンクから電子メールアドレスの作成を実施する情報表示方法、中央処理装置及びコンピュータプログラムに関する。
【背景技術】
【０００２】利用者が通信ネットワークを介して中央処理装置に接続された端末装置を用いてウェブページを閲覧し、さらにページを読み込むには、ハイパーリンクを経由して読み込む必要がある。
【発明の開示】
【発明が解決しようとする課題】
【０００３】従来の方法では、端末装置からウェブページを閲覧しようとすると通信ネットワークを介して中央処理装置に接続し、ページを読み込み、さらに別ページの情報を閲覧する際にはハイパーリンクを経由してページを読み込む必要があった。この手順で端末利用者は従量課金の料金を請求されることになるが、ウェブページ閲覧を従来よりも安価に行う方法を要望していた。ウェブブラウザに表示させるために必要なタグを省き、データ容量を圧縮することができるため、従量課金の料金を低減させることができる。また前記理由により、通信帯域の狭い端末装置でも、表示する時間を短縮させることができる。
【課題を解決するための手段】
【０００４】本発明に係る情報表示方法は、複数の端末装置から送信された閲覧を希望するウェブページのＵＲＬまたはキーワードが記載された情報を受信する中央処理装置が、受信した情報内で要求されたウェブページを巡回した結果にハイパーリンクが含まれる場合に、前記ハイパーリンクと関連づけられた一意の文字列を新しく生成し、生成された文字列を付加した電子メールアドレスを発行し、発行した電子メールアドレスと前記ＵＲＬまたは前記キーワードと前記端末装置の情報とを関連づけて記録しておき、前記ウェブページ巡回結果のうち前記ハイパーリンクを関連づけられた前記電子メールアドレスで置換した情報を前記端末装置に送信し、前記端末装置に表示させることを特徴とする。【０００５】また、本発明に係る情報表示方法は、前記中央処理装置は、本発明によって発行された電子メールアドレスを宛先として複数の端末装置から送信された情報を受信することを特徴とする。【０００６】また、本発明に係る中央処理装置は、要求されたウェブページ情報を送信させるための中央処理装置において、前記中央処理装置は、複数の端末装置から送信される情報を受信させる受信手段と、前記情報に含まれる閲覧を希望するウェブページのＵＲＬまたはキーワードが記載された情報を抽出する解析手段と、前記ＵＲＬまたは前記キーワードをもとにウェブページを巡回する巡回手段と、前記巡回結果にハイパーリンクが含まれる場合に前記ハイパーリンクと関連づけられた一意の文字列を新しく生成させ、前記文字列を付加した電子メールアドレスを発行する手順と、前記電子メールアドレスをＵＲＬまたはキーワードと前記端末装置の情報と関連づけて記録する記憶手段と、前記巡回結果のうち前記ハイパーリンクを関連づけられた前記電子メールアドレスで置換させ、送信情報を作成する作成手段と、前記作成した情報を前記端末装置に送信する手段を備えることを特徴とする。【０００７】また、本発明に係る中央処理装置は、本発明によって発行された電子メールアドレスを宛先として複数の端末装置から送信された情報を受信させる受信手段を備えることを特徴とする。【０００８】また、本発明に係るコンピュータプログラムは、要求されたウェブページ情報を送信させるためのコンピュータプログラムにおいて、コンピュータに、複数の端末装置から送信される情報を受信させる手順と、コンピュータに、前記情報に含まれる閲覧を希望するウェブページのＵＲＬまたはキーワードが記載された情報を抽出させる手順と、コンピュータに、前記ＵＲＬまたは前記キーワードをもとにウェブページを巡回させる手順と、コンピュータに、前記巡回結果にハイパーリンクが含まれる場合に前記ハイパーリンクと関連づけられた一意の文字列を新しく生成させる手順と、コンピュータに、生成された文字列を付加した電子メールアドレスを発行させる手順と、コンピュータに、前記電子メールと前記ＵＲＬまたは前記キーワードと前記端末装置の情報とを関連づけて記録させる手順と、コンピュータに、前記巡回結果のうち前記ハイパーリンクを関連づけられた前記電子メールアドレスで置換させる手順と、コンピュータに、前記置換された巡回結果を前記端末装置に情報を端末装置に送信させる手順とを実行させることを特徴とする。【０００９】また、本発明に係るコンピュータプログラムは、コンピュータに、本発明によって発行された電子メールアドレスを宛先として複数の端末装置から送信された情報を受信させる手順とを実行させることを特徴とする。【００１０】図は、本発明の好適な実施の形態を説明するためだけに示す。当該技術に精通する者には以下の検討から直ちに理解できるのは言うまでもないが、本明細書に示す構造および方法の代替の実施の形態は、本明細書内で説明する本発明の原理から逸脱することなく利用されてもよい。
【発明を実施するための最良の形態】
【００１１】図１は本発明の中央処理装置の構成を示すブロック図である。１０はユーザのウェブページ閲覧要求を処理する中央処理装置であり、中央処理装置１０には、インターネットに代表される通信ネットワークＮＷを介して、ユーザが使用する複数の端末装置２０、２０、…（例えば、携帯電話機）が接続されている。【００１２】中央処理装置１０は、本発明のコンピュータプログラムＰＧ及びコンピュータプログラムＰＧを実行させるときに使用されるデータを記録したＣＤ−ＲＯＭなどの媒体を駆動する補助記録手段１２、補助記録手段１２からコンピュータプログラムＰＧ及び前記データを記録する記録手段１３、コンピュータプログラムＰＧ及び前記データを一時的に記憶するＲＡＭ１４、マウス、キーボードなどの入力手段１５、ディスプレイ、印刷装置などの出力手段１６、ネットワークＮＷに接続するための通信手段１７、及びコンピュータプログラムを実行するＣＰＵ１１を備えている。【００１３】記録手段１３には、ＵＲＬデータベース１０ａ、ユーザデータベース１０ｂ、電子メールアドレスデータベース１０ｃが記録されている。各データベースの構成については後述する。ＣＰＵ１１は、コンピュータプログラムＰＧの実行に伴って、これらの各種データベースにアクセスする。【００１４】端末装置２０は、ＣＰＵ２１、記録手段２２、ＲＡＭ２３、入力手段２４、出力手段２５、及び通信手段２６を備え、記録手段２２には、ウエブページを閲覧するためのウエブブラウザが記録されている。また、通信手段２６は、通信ネットワークＮＷを介して中央処理装置１０に接続してある。【００１５】端末装置２０、２０、…において、ウェブページの閲覧要求と中央処理装置から送信された情報の閲覧は、端末装置２０、２０、…に備えられた電子メールアプリケーションを介することにより行われる。【００１６】図２について説明する。中央処理装置１０は、端末装置２０、２０…から送信されたウェブページ閲覧要求が記載された情報を通信手段１７を介して受信手段３１で受信し、ウェブページのＵＲＬまたはキーワードが含まれているかどうかを解析手段３２によって解析する。次に、中央処理装置１０は、解析したＵＲＬまたはキーワードを巡回手段３３に提供する。巡回手段３３は提供された情報にＵＲＬまたはキーワードに基づいてウェブページを巡回した結果をメールアドレス発行手段３４に提供する。メールアドレス発行手段は、提供された情報に含まれるハイパーリンクから一意の文字列を作成し、その文字列を付加した一意の電子メールアドレスを発行する。また、メールアドレス発行手段は、ハイパーリンクと電子メールアドレスと端末装置２０、２０…側の電子メールアドレスなどのユーザー情報を関連づけて、記憶手段１３のＵＲＬデータベース１０ａとユーザデータベース１０ｂと電子メールアドレスデータベース１０ｃに記録する。【００１７】次に、中央処理装置１０は、ハイパーリンクと電子メールアドレスの関連情報を作成手段３５に提供する。作成手段３５は、提供された情報に基づき、巡回手段３３の巡回結果の各ハイパーリンクを関連づけられた電子メールアドレスに置換し、送信手段３６に提供する。次に、中央処理装置１０は、送信手段３６に提供された情報を通信手段１７を介して端末装置２０、２０…に送信する。【００１８】次に、本発明の中央処理装置１０と端末装置２０との間で行われる処理手順について説明する。図３は端末装置から要求されたウェブページの情報を端末装置に送信する手順を示すフローチャートである。端末装置２０、２０…はＵＲＬまたはキーワードを記載したウェブページ閲覧要求情報を中央処理装置１０に送信する（Ｓ１）。中央処理装置１０は、送信されたウェブページ閲覧要求情報を受信し（Ｓ２）、受信した情報に含まれるＵＲＬまたはキーワードを解析（Ｓ３）したのち、要求されたウェブページを巡回する（Ｓ４）。【００１９】次に、中央処理装置１０は、巡回結果に含まれる各ハイパーリンクと関連づけられた一意の電子メールアドレスを発行し（Ｓ５）、各ハイパーリンクと発行された電子メールアドレスと端末装置２０、２０…とを関連づけて記録し（Ｓ６）、巡回結果に含まれる各ハイパーリンクを関連づけられた電子メールアドレスに置換（Ｓ７）したのちに、この修正された巡回結果を端末装置２０、２０…に送信する（Ｓ８）。端末装置２０、２０…は、中央処理装置１０によって送信された巡回結果を受信する（Ｓ９）。【００２０】図４は各種データベースの構成を示す概念図である。ＵＲＬデータベース１０ａは、ＵＲＬとキーを備え、前記ユーザの端末装置２０から中央処理装置１０へウェブページ閲覧要求情報が送信され、中央処理装置１０が送信された情報に基づいて、要求に従ってウェブページを巡回した結果に含まれるハイパーリンクを解析するたびに、追加される。ユーザデータベース１０ｂは、ユーザ名とパスワードとユーザーの電子メールアドレスとキーを備え、前記ユーザの端末装置２０から中央処理装置１０へウェブページ閲覧要求情報が送信され、中央処理装置１０が受信するたびに、追加される。電子メールアドレスデータベース１０ｃは、電子メールアドレスとキーを備え、中央処理装置１０がウェブページを巡回した結果に含まれるハイパーリンクを解析したのちに一意の電子メールアドレスを発行するたびに、追加される。以上の３つのデータベースは、一連の処理手順の際に一貫したキーを使用し、これを各データベースに記録することで、相互の関連づけをおこなう。【００２１】上述の実施の形態では、端末装置は、携帯電話機であったが、これに限られるものではなく、電子メールを送受信できるものであれば、パーソナルコンピュータ、ＰＤＡなどであってもよい。
【発明の効果】
【００２２】本発明にあっては、ウェブページのハイパーリンクを経由して新しいページを読み込んでいく作業を、電子メールのやりとりに置換することができるため、利用者に請求されるパケット利用料金を従来より安価にすることができる。
【図面の簡単な説明】
【００２３】
【図１】本発明の中央処理装置と端末装置の全体的構成を示すブロック図である。
【図２】本発明の中央処理装置の構成を示すブロック図である。
【図３】端末装置から要求されたウェブページの情報を加工する手順を示すフローチャートである。
【図４】データベースの構成を示す概念図である。
【図５】ウェブページの例を示す説明図である。
【図６】中央処理装置によって生成される電子メールの例を示す説明図である。
【符号の説明】
【００２４】１０  中央処理装置
１０ａ  ＵＲＬデータベース
１０ｂ  ユーザデータベース
１０ｃ  電子メールアドレスデータベース
２０  端末装置
【図１】
2008052689.tif 000003
【図２】
2008052689.tif 000004
【図３】
2008052689.tif 000005
【図４】
2008052689.tif 000006
【図５】
2008052689.tif 000007
【図６】
2008052689.tif 000008